(57)【要約】【課題】  複数の波長の光信号が重畳した状態でも所定の波長の光信号の強度を調整することができる技術を提供することを目的とする。【解決手段】  測定部が、波長分割多重された光信号から取り出された複数の波長の光信号の強度を測定し、トランスポンダが、取り出された複数の波長の光信号を受けて外部に出力するとともに、受けた複数の波長の光信号の全強度を測定し、制御部が、測定部により測定される複数の波長の光信号の強度と、トランスポンダにより測定される複数の波長の光信号の全強度とに基づいて、トランスポンダが受信する１つの波長の光信号の強度を推定し、受信する１つの波長の光信号の強度を調整する。【選択図】    図１
2014143518.tif 000002
【特許請求の範囲】
【請求項１】
波長分割多重された光信号から取り出された複数の波長の光信号の強度を測定する測定部と、
取り出された前記複数の波長の光信号を受けて外部に出力するとともに、受けた前記複数の波長の光信号の全強度を測定する少なくとも１つのトランスポンダと、
前記測定部により測定される前記複数の波長の光信号の強度と、前記トランスポンダにより測定される前記複数の波長の光信号の全強度とに基づいて、前記トランスポンダが受信する１つの波長の光信号の強度を推定し、前記受信する１つの波長の光信号の強度を調整する制御部と、
を備えることを特徴とする伝送装置。
【請求項２】
請求項１に記載の伝送装置において、
前記測定部は、前記各波長の光信号の強度を測定して、前記複数の波長の光信号の全強度を算出し、
前記制御部は、前記測定部による前記各波長の光信号の強度および前記全強度と前記トランスポンダによる前記複数の波長の光信号の全強度とに基づいて、前記トランスポンダが受信する１つの波長の光信号の強度を推定する
ことを特徴とする伝送装置。
【請求項３】
請求項１または請求項２に記載の伝送装置において、
前記波長分割多重された光信号から前記複数の波長の光信号を取り出す取出部を備え、
前記制御部は、推定した前記受信する１つの波長の光信号の強度が、予め設定された許容値より大きい場合、前記取出部に前記受信する１つの波長の光信号の強度を低減させる
ことを特徴とする伝送装置。
【請求項４】
請求項１または請求項２に記載の伝送装置において、
前記波長分割多重された光信号から前記複数の波長の光信号を取り出す取出部と、
前記取出部により取り出された前記複数の波長の光信号を増幅する増幅部と、
前記増幅部が有する増幅率の波長依存性を示すデータを記憶する記憶部と、を備え、
前記制御部は、前記増幅部により増幅された前記各波長の光信号の強度が互いに等しくなるように、前記データに基づいて、前記取出部に前記各波長の光信号の強度を調整させる
ことを特徴とする伝送装置。
【請求項５】
複数の伝送装置を備え、
前記各伝送装置は、
波長分割多重された光信号から取り出された複数の波長の光信号の強度を測定する測定部と、
取り出された前記複数の波長の光信号を受けて外部に出力するとともに、受けた前記複数の波長の光信号の全強度を測定する少なくとも１つのトランスポンダと、
前記測定部により測定される前記複数の波長の光信号の強度と、前記トランスポンダにより測定される前記複数の波長の光信号の全強度とに基づいて、前記トランスポンダが受信する１つの波長の光信号の強度を推定し、前記受信する１つの波長の光信号の強度を調整する制御部と、を備える
ことを特徴とする伝送システム。
【請求項６】
請求項５に記載の伝送システムにおいて、
前記測定部は、前記各波長の光信号の強度を測定して、前記複数の波長の光信号の全強度を算出し、
前記制御部は、前記測定部による前記各波長の光信号の強度および前記全強度と前記トランスポンダによる前記複数の波長の光信号の全強度とに基づいて、前記トランスポンダが受信する１つの波長の光信号の強度を推定する
ことを特徴とする伝送システム。
【請求項７】
請求項５または請求項６に記載の伝送システムにおいて、
前記各伝送装置は、
前記波長分割多重された光信号から前記複数の波長の光信号を取り出す取出部を備え、
前記制御部は、推定した前記受信する１つの波長の光信号の強度が、予め設定された許容値より大きい場合、前記取出部に前記受信する１つの波長の光信号の強度を低減させる
ことを特徴とする伝送システム。
【請求項８】
請求項５または請求項６に記載の伝送システムにおいて、
前記各伝送装置は、
前記波長分割多重された光信号から前記複数の波長の光信号を取り出す取出部と、
前記取出部により取り出された前記複数の波長の光信号を増幅する増幅部と、
前記増幅部が有する増幅率の波長依存性を示すデータを記憶する記憶部と、をさらに備え、
前記制御部は、前記増幅部により増幅された前記各波長の光信号の強度が互いに等しくなるように、前記データに基づいて、前記取出部に前記各波長の光信号の強度を調整させる
ことを特徴とする伝送システム。
【発明の詳細な説明】
【技術分野】
【０００１】
本発明は、伝送装置および伝送システムに関する。
【背景技術】
【０００２】
従来、伝送装置は、受信する波長分割多重（ＷＤＭ：Wavelength Division Multiplexing）信号から複数の波長の光信号を取り出して、取り出した複数の波長の光信号を分離して、伝送装置に収容される複数のトランスポンダにそれぞれ出力する。
【０００３】
例えば、伝送装置は、分離した波長の光信号ごとに強度を調整して、各トランスポンダに出力する技術が知られている（例えば、特許文献１参照）。
【先行技術文献】
【特許文献】
【０００４】
【特許文献１】特開２００３−１９８４７８号公報
【発明の概要】
【発明が解決しようとする課題】
【０００５】
しかしながら、従来技術では、複数の波長の光信号が重畳した状態で所定の波長の光信号の強度を調整することは困難である。
【０００６】
従来技術が有する問題に鑑み、本件開示は、複数の波長の光信号が重畳した状態でも所定の波長の光信号の強度を調整することができる技術を提供することを目的とする。
【課題を解決するための手段】
【０００７】
本件開示の伝送装置の一態様は、波長分割多重された光信号から取り出された複数の波長の光信号の強度を測定する測定部と、取り出された複数の波長の光信号を受けて外部に出力するとともに、受けた複数の波長の光信号の全強度を測定する少なくとも１つのトランスポンダと、測定部により測定される複数の波長の光信号の強度と、トランスポンダにより測定される複数の波長の光信号の全強度とに基づいて、トランスポンダが受信する１つの波長の光信号の強度を推定し、受信する１つの波長の光信号の強度を調整する制御部と、を備える。
【０００８】
本件開示の伝送システムの一態様は、複数の伝送装置を備え、各伝送装置は、波長分割多重された光信号から取り出された複数の波長の光信号の強度を測定する測定部と、取り出された複数の波長の光信号を受けて外部に出力するとともに、受けた複数の波長の光信号の全強度を測定する少なくとも１つのトランスポンダと、測定部により測定される複数の波長の光信号の強度と、トランスポンダにより測定される複数の波長の光信号の全強度とに基づいて、トランスポンダが受信する１つの波長の光信号の強度を推定し、受信する１つの波長の光信号の強度を調整する制御部と、を備える。
【発明の効果】
【０００９】
本件開示の伝送装置および伝送システムは、複数の波長の光信号が重畳した状態でも所定の波長の光信号の強度を調整することができる。
【図面の簡単な説明】
【００１０】
【図１】伝送システムおよび伝送装置の一の実施形態を示す図である。
【図２】図１に示した中継装置の例を示す図である。
【図３】図２に示した中継装置による光信号の強度の調整動作を示す流れ図である。
【図４】図１に示した中継装置の他の例を示す図である。
【図５】図４に示した中継装置による光信号の強度の調整動作を示す流れ図である。
【発明を実施するための形態】
【００１１】
以下、図面に基づいて、本発明の実施形態について詳細に説明する。
《一の実施形態》
図１は、本件開示の伝送システムおよび伝送装置の一の実施形態を示す。
【００１２】
本実施形態の伝送システム１００は、コンピュータ等の端末装置１（１−１〜１−Ｍ），２（２−１〜２−Ｍ），ＷＤＭ装置３ａ，３ｂおよび中継装置１０（１０−１〜１０−Ｎ）を有する。Ｍ，Ｎは、正の整数である。ＷＤＭ装置３ａ、中継装置１０−１〜中継装置１０−Ｎ、およびＷＤＭ装置３ｂは、光ファイバ等の伝送路４（４−１〜４−（Ｎ＋１））で互いに接続される。中継装置１０−１〜１０−Ｎは、伝送装置の一例である。
【００１３】
ＷＤＭ装置３ａは、各端末装置１からの複数の波長λ１〜λＭの光信号を波長分割多重し、得られたＷＤＭ信号を伝送路４−１に出力する。また、ＷＤＭ装置３ａは、伝送路４−１を介して受信したＷＤＭ信号から波長λ１〜λＭの光信号を分離して、各端末装置１に出力する。例えば、ＷＤＭ信号は、ＳＯＮＥＴ（Synchronous Optical Network）／ＳＤＨ（Synchronous Digital Hierarchy）規格等の光信号である。また、ＷＤＭ装置３ｂは、ＷＤＭ装置３ａと同様の動作を行うため、ＷＤＭ装置３ｂの説明は省略する。
【００１４】
図２は、図１に示した中継装置１０の例を示す。図２に示した中継装置１０−ｋは、正の整数で、１≦ｋ≦Ｎである。すなわち、図１に示した中継装置１０−１〜１０−Ｎは、互いに同様の構成を有する。
【００１５】
中継装置１０−ｋは、制御部３０、ＷＳＳ（Wavelength Selective Switch）３１、光カプラ３２、測定部３３および複数の送受信ユニット３４（３４−１〜３４−Ｓ）を有する（Ｓは正の整数）。
【００１６】
例えば、制御部３０は、ＲＯＭ（Read Only Memory）等のメモリ３５に記憶された制御プログラムを実行し、中継装置１０−ｋの各部を統括的に制御するマイクロプロセッサである。制御部３０は、伝送路４−ｋ，４−（ｋ＋１）を伝送するＷＤＭ信号の中継処理を制御する。また、制御部３０は、図３で説明するように各送受信ユニット３４に含まれるトランスポンダ４２（４２−１〜４２−Ｌ）が受信する波長の光信号の強度を調整する（Ｌは正の整数）。
【００１７】
ＷＳＳ３１は、制御部３０の制御に基づいて、伝送路４−ｋ，４−（ｋ＋１）を伝送するＷＤＭ信号から、各送受信ユニット３４に設定された複数の波長の光信号を取り出し、各送受信ユニット３４に出力する。また、ＷＳＳ３１は、各送受信ユニット３４に出力する光信号を光カプラ３２にも出力する。なお、ＷＳＳ３１は、取出部の一例である。
【００１８】
測定部３３は、光カプラ３２を介して、各送受信ユニット３４に取り出される複数の波長の光信号を受け取る。測定部３３は、受け取った各波長の光信号の強度を測定する。例えば、測定部３３は、内蔵する波長可変のレーザ光源である局発光源を用い、制御部３０の制御に基づいて、局発光源に各波長のレーザ光を射出させる。測定部３３は、局発光源のレーザ光と受け取った複数の波長の光信号とを干渉させて、各波長の光信号の強度を測定する。あるいは、測定部３３は、内蔵する波長可変のバンドパスフィルタを用い、受け取った各波長の光信号の強度を測定してもよい。
【００１９】
送受信ユニット３４−１〜送受信ユニット３４−Ｓは、光増幅器４０、光カプラ４１およびトランスポンダ４２−１〜トランスポンダ４２−Ｌを有する。図２では、送受信ユニット３４−１の要素を示す。送受信ユニット３４−２〜３４−Ｓについても、送受信ユニット３４−１と同様の構成を有する。
【００２０】
なお、送受信ユニット３４−１〜送受信ユニット３４−Ｓは、それぞれＬ個のトランスポンダ４２を有するが、これに限定されない。例えば、各送受信ユニット３４は、互いに異なる数のトランスポンダ４２を有してもよい。また、１つのトランスポンダ４２を有する１つの送受信ユニット３４が配置されてもよい。
【００２１】
また、各送受信ユニット３４は、収容するトランスポンダ４２の数に応じた複数の波長の光信号をＷＳＳ３１より受信する。つまり、ＷＳＳ３１は、ＷＤＭ信号からＬ×Ｓ個の波長の光信号を取り出し、各送受信ユニット３４にＬ個の波長の光信号を出力する。
【００２２】
光増幅器４０は、各送受信ユニット３４が受け取ったＬ個の波長の光信号を増幅する。
【００２３】
光カプラ４１は、各送受信ユニット３４が受け取り増幅されたＬ個の波長の光信号をトランスポンダ４２−１〜トランスポンダ４２−Ｌにそれぞれ分配する。なお、光カプラ４１の代わりに、ＷＳＳ３１と同様のＷＳＳが配置されてもよい。ただし、光カプラ４１は、ＷＳＳより低コストなため、光カプラ４１を用いることが好ましい。
【００２４】
各トランスポンダ４２−１〜トランスポンダ４２−Ｌは、光カプラ４１により分配されたＬ個の波長の光信号を受け取り、受け取ったＬ個の光信号のうち予め設定された１つの波長の光信号を選択するマルチチャンネル受信方式のトランスポンダである。例えば、各トランスポンダ４２は、内蔵する波長可変のレーザ光源である局発光源を用い、局発光源に設定された波長のレーザ光を射出させてＬ個の波長の光信号と干渉させ、設定された１つの波長の光信号を選択する。各トランスポンダ４２は、選択した波長の光信号からデータを抽出し、抽出したデータをコンピュータ等の各端末装置５０（５０−１〜５０−Ｓ）に出力する。また、各トランスポンダ４２は、Ｌ個の波長の光信号の強度を合計した全強度を測定するフォトダイオード等を有する。
【００２５】
図３は、図２に示した中継装置１０−ｋによる光信号の強度の調整動作を示す。
【００２６】
ステップＳ１０１：ＷＳＳ３１は、制御部３０の制御に基づいて、各送受信ユニット３４のトランスポンダ４２−１〜トランスポンダ４２−Ｌにそれぞれ設定されているＬ個の波長の光信号をＷＤＭ信号から取り出す。ＷＳＳ３１は、取り出したＬ個の波長の光信号を各送受信ユニット３４に出力する。同時に、ＷＳＳ３１は、光カプラ３２を介して、送受信ユニット３４ごとに取り出したＬ個の波長の光信号を測定部３３にも出力する。
【００２７】
ステップＳ１０２：測定部３３は、送受信ユニット３４ごとに出力されたＬ個の波長の光信号を順次に受け取る。測定部３３は、Ｌ×Ｓ個の波長λｉ（ｊ）の光信号の強度ＰＷ（λｉ（ｊ））を測定する。ここで、λｉ（ｊ）は、送受信ユニット３４−ｊのトランスポンダ４２−ｉに設定された受信する光信号の波長を示す。また、ｉは１〜Ｌの正の整数であり、ｊは１〜Ｓの正の整数である。
【００２８】
また、測定部３３は、例えば、式（１）を用いて、各送受信ユニット３４に出力されたＬ個の波長の光信号の全強度ＡＰＷ（ｊ）を、測定した強度ＰＷ（λｉ（ｊ））から算出する。ここで、全強度ＡＰＷ（ｊ）は、送受信ユニット３４−ｊに出力されたＬ個の波長の光信号の強度の合計である。
【００２９】
【数１】
2014143518.tif 000003
【００３０】
ステップＳ１０３：各送受信ユニット３４のトランスポンダ４２−１〜４２−Ｌは、フォトダイオード等を用い、受け取ったＬ個の波長の光信号の全強度ＴＰＷ（ｊ，ｉ）を測定する。ここで、全強度ＴＰＷ（ｊ，ｉ）は、送受信ユニット３４−ｊのトランスポンダ４２−ｉで測定されたＬ個の波長の信号の全強度を示す。
【００３１】
ステップＳ１０４：制御部３０は、求めた強度ＰＷ（λｉ（ｊ））、全強度ＡＰＷ（ｊ）および全強度ＴＰＷ（ｊ，ｉ）に基づいて、各送受信ユニット３４に含まれる各トランスポンダ４２に設定された波長λｉ（ｊ）の光信号の強度を推定する。例えば、制御部３０は、式（２）を用いて、送受信ユニット３４−ｊに含まれるトランスポンダ４２−ｉにおける波長λｉ（ｊ）の光信号の強度の推定値Ｅ（λｉ（ｊ））を算出する。
【００３２】
【数２】
2014143518.tif 000004
【００３３】
ステップＳ１０５：制御部３０は、ステップＳ１０４で推定した推定値Ｅ（λｉ（ｊ））が、送受信ユニット３４−ｊに含まれるトランスポンダ４２−ｉに予め設定される光信号の強度の許容値β（ｊ，ｉ）以下か否かを判定する。制御部３０は、推定値Ｅ（λｉ（ｊ））が許容値β（ｊ，ｉ）以下の場合、ステップＳ１０７（ＹＥＳ側）に移行する。一方、制御部３０は、推定値Ｅ（λｉ（ｊ））が許容値β（ｊ，ｉ）より大きい場合、ステップＳ１０６（ＮＯ側）へ移行する。なお、許容値β（ｊ，ｉ）は、トランスポンダ４２の性能に応じて設定されることが好ましく、メモリ３５に予め記憶されていることが好ましい。
【００３４】
ステップＳ１０６：制御部３０は、推定値Ｅ（λｉ（ｊ））が許容値βより大きい場合、ＷＳＳ３１に対しＷＳＳ３１が有するミラーの角度を調整させることで、取り出する波長λｉ（ｊ）の光信号の強度を低減させる。ここで、ミラーは、ＭＥＭＳ（Micro Electro Mechanical System）ミラー等であり、ＷＤＭ信号から複数の波長の光信号を取り出しミラー角度に応じて波長ごとに決められたポートに出力するためにＷＳＳ３１に設けられる。制御部３０は、ステップＳ１０１に移行し、ステップＳ１０１〜ステップＳ１０５の処理を行う。
【００３５】
ステップＳ１０７：制御部３０は、ステップＳ１０４で推定した推定値Ｅ（λｉ（ｊ））と強度ＰＷ（λｉ（ｊ））との差分を算出し、算出した差分が所定の閾値以上か否かを判定する。制御部３０は、算出した差分が所定の閾値以上の場合、ステップＳ１０８（ＹＥＳ側）に移行する。一方、制御部３０は、算出した差分が所定の閾値より小さい場合（ＮＯ側）、推定値Ｅ（λｉ（ｊ））が推定された送受信ユニット３４−ｊのトランスポンダ４２−ｉは正常に動作していると判定し、一連の動作を終了する。
【００３６】
ステップＳ１０８：制御部３０は、推定値Ｅ（λｉ（ｊ））が推定された送受信ユニット３４−ｊのトランスポンダ４２−ｉに異常が発生していると判定する。制御部３０は、伝送システム１００を管理する管理者等に警告する情報を出力する。なお、制御部３０は、異常の発生の警報とともに、異常が発生した送受信ユニット３４−ｊのトランスポンダ４２−ｉの情報をあわせて出力することが好ましい。そして、管理者は、その情報に基づいて、異常が発生した送受信ユニット３４−ｊのトランスポンダ４２−ｉの復旧を迅速に行うことができる。制御部３０は、一連の動作を終了する。
【００３７】
なお、制御部３０は、所定の時間間隔でステップＳ１０１〜ステップＳ１０８の処理を繰り返して行うことが好ましい。
【００３８】
本実施形態では、測定部３３と各トランスポンダ４２とが、複数の波長の光信号の強度を独立して測定する。これにより、制御部３０は、それらの測定結果から各トランスポンダ４２が受信する所定の波長の光信号の強度を推定し、受信する所定の波長の光信号の強度を調整できる。
【００３９】
また、制御部３０は、推定値Ｅ（λｉ（ｊ））と所定の閾値との比較に基づいて、各トランスポンダ４２が正常に動作しているか否かを判定することができ、中継装置１０の光信号の品質を従来に比べて向上させることができる。
【００４０】
なお、本実施形態では、伝送システム１００が、伝送装置の一例として中継装置１０を有する例について説明したが、これに限定されない。例えば、ＷＤＭ装置３ａ，３ｂが、マルチチャンネル受信の機能を有するトランスポンダ４２を含む場合、ＷＤＭ装置３ａ，３ｂは、本件開示の伝送装置として動作してもよい。
《他の実施形態》
本件開示の伝送システムおよび伝送装置の他の実施形態は、図１に示す伝送システム１００と同様である。このため、図１と同様の要素については、詳細な説明は省略する。
【００４１】
図４は、図１に示した中継装置１０の他の例を示す。図４に示す各要素において、図２に示す中継装置１０−ｋの要素と同等の機能を有するものについては、同一の符号を付し詳細な説明は省略する。図４に示す中継装置１０−ｋでは、図２に示した中継装置１０−ｋの各送受信ユニット３４において、光増幅器４０の代わりに、光増幅器６０が配置される。光増幅器６０は、波長に応じて光信号の増幅率が変化する波長依存性を有し、メモリ３５には、各送受信ユニット３４の光増幅器６０の製造時に測定された増幅率の波長依存性データが、制御プログラムとともに予め記憶される。メモリ３５に記憶される波長依存性データは、例えば、基準となる波長の光信号の増幅率に対する波長λｉ（ｊ）の光信号の増幅率の比率α（λｉ（ｊ））である。なお、光増幅器６０は、増幅部の一例であり、メモリ３５は、記憶部の一例である。
【００４２】
図５は、図４に示した中継装置１０−ｋによる光信号の強度の調整動作を示す。図５に示す各ステップにおいて、図３に示すステップと同等の処理を行うものについては、同一のステップ番号を付し詳細な説明は省略する。
【００４３】
ただし、ステップＳ２０１において、制御部３０は、メモリ３５に記憶される各送受信ユニット３４の光増幅器６０の波長依存性データを読み込む。制御部３０は、読み込んだ波長依存性データに基づき、各送受信ユニット３４において、光増幅器６０による増幅後のＬ個の波長の光信号の強度が互いに等しくなるように、ＷＳＳ３１にＬ個の波長の光信号の強度をそれぞれ調整させて取り出させる。例えば、制御部３０は、波長依存性データに基づいて、波長λｉ（ｊ）の光信号の強度が１／α（λｉ（ｊ））倍となるように、ＷＳＳ３１に、ＷＳＳ３１が有するミラーの角度を調整させ、波長λｉ（ｊ）の光信号を取り出させる。
【００４４】
本実施形態では、測定部３３と各トランスポンダ４２とが、複数の波長の光信号の強度を独立して測定する。これにより、制御部３０は、それらの測定結果から各トランスポンダ４２が受信する所定の波長の光信号の強度を推定し、受信する所定の波長の光信号の強度を調整できる。
【００４５】
また、制御部３０は、光増幅器６０による増幅後の各波長の光信号の強度が等しくなるように、波長依存性データに基づいて、ＷＳＳ３１に各波長の光信号の強度を調整させて取り出させる。これにより、本実施形態は、一の実施形態より正確に受信波長の光信号の強度を調整することができる。
【００４６】
さらに、制御部３０は、推定値Ｅ（λｉ（ｊ））と所定の閾値との比較に基づいて、各トランスポンダ４２が正常に動作しているか否かを判定することができ、中継装置１０の光信号の品質を従来に比べて向上させることができる。
【００４７】
なお、本実施形態では、伝送システム１００が、伝送装置の一例として中継装置１０を有する例について説明したが、これに限定されない。例えば、ＷＤＭ装置３ａ，３ｂが、マルチチャンネル受信の機能を有するトランスポンダ４２を含む場合、ＷＤＭ装置３ａ，３ｂは、本件開示の伝送装置として動作してもよい。
【００４８】
なお、図５では、制御部３０が、ステップＳ１０５〜ステップＳ１０６において、ＷＳＳ３１に波長λｉ（ｊ）の光信号の強度を調整させたが、これに限定されない。例えば、図５に示したステップＳ２０１において、制御部３０は、波長依存性データに基づいて、ＷＳＳ３１に、各波長の光信号の強度を各トランスポンダ４２に設定されている許容値β（ｊ，ｉ）以下となるように調整させて取り出させてもよい。その場合、図５に示したステップＳ１０５〜ステップＳ１０６は省略されることが好ましい。
【００４９】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００５０】
１−１〜１−Ｍ，２−１〜２−Ｍ，５０−１〜５０−Ｓ…端末装置；３ａ，３ｂ…ＷＤＭ装置；４−１〜４−（Ｎ＋１）…伝送路；１０−１〜１０−Ｎ…中継装置；３０…制御部；３１…ＷＳＳ；３２…光カプラ；３３…測定部；３４−１〜３４−Ｓ…送受信ユニット；３５…メモリ；４０，６０…光増幅器；４１…光カプラ；４２−１〜４２−Ｌ…トランスポンダ；１００…伝送システム
【図１】
2014143518.tif 000005
【図２】
2014143518.tif 000006
【図３】
2014143518.tif 000007
【図４】
2014143518.tif 000008
【図５】
2014143518.tif 000009